(57)【特許請求の範囲】
【請求項１】
外箱内に形成され前面開口部を有し被調理物を加熱調理する調理室と、この調理室の前面開口部を開閉する扉と、この扉下端を回動自在に軸支し閉扉方向の支持力を付与する扉開閉機構とを備え、この扉開閉機構は、自由端側を扉側に連結し他端を外箱内の静止部位に固定した引張りコイルバネと捩じりコイルバネとを有し、少なくとも捩じりコイルバネは扉の開き方向の回動に対し支持力が大きくなるよう張設したことを特徴とする加熱調理器。
【請求項２】
扉開閉機構は、引張りコイルバネと捩じりコイルバネとを並設した単位構成となし、この扉開閉機構を扉の片側または両側に連結した構成としたことを特徴とする請求項１記載の加熱調理器。
【請求項３】
外箱内には調理室と区画され該調理室内の被調理物にマイクロ波を照射するマグネトロンやその制御部品などの電装品を装備した機械室を有し、この機械室内に扉開閉機構の引張りコイルバネ及び捩じりコイルバネを配したことを特徴とする請求項１記載の加熱調理器。
【請求項４】
調理室内には被調理物を加熱調理する電熱ヒータを設けたことを特徴とする請求項１ないし３のいずれかに記載の加熱調理器。
【請求項５】
機械室内には電装品を冷却するための冷却ファンを備え、この冷却ファンによる冷却風路中に扉開閉機構を配設したことを特徴とする請求項３または４記載の加熱調理器。
【請求項６】
閉扉状態から扉を開く場合における捩じりコイルバネには、少なくとも扉の開き角度が約４０度を超えると支持力を発生するように設定したことを特徴とする請求項１ないし５のいずれかに記載の加熱調理器。
【請求項７】
閉扉状態から扉を開く場合、開き角度が４０度を超えると扉は自重により扉開閉機構の支持力に抗して開扉できるようにしたことを特徴とする請求項６記載の加熱調理器。
【請求項８】
扉開閉機構の引張りコイルバネは、閉扉状態の時、略垂直状をなすよう張設されたことを特徴とする請求項１ないし７のいずれかに記載の加熱調理器。
【請求項９】
扉開閉機構は、扉側に一端が取着され他端が捩じりコイルバネの自由端側に連結される金属製のアームを具備し、このアームには、捩じりコイルバネの自由端側を遊動可能に連結保持する合成樹脂製のキャップを被着したことを特徴とする請求項１記載の加熱調理器。
【請求項１０】
キャップには、捩じりコイルバネの自由端側と遊動可能に摺接するコ字状のフック部を設け、このフック部の捩じりコイルバネとの摺接部位を円弧状に形成したことを特徴とする請求項９記載の加熱調理器。
【請求項１１】
アームに被着したキャップには、扉の開閉に応動すべく設けた加熱制御用スイッチのアクチュエータを操作する操作部を形成したことを特徴とする請求項９または１０記載の加熱調理器。
【請求項１２】
扉が開閉する前面開口部縁にはアームの移動を許容するアーム用透孔を有し、この透孔と加熱制御用スイッチのアクチュエータとを結ぶ直線上に位置し、該透孔から挿入された棒材に対面してアクチュエータの操作を阻止する立壁面をキヤップに形成したことを特徴とする請求項１１記載の加熱調理器。
【請求項１３】
キャップの立壁面の裏面側を、アクチュエータを操作する操作部としたことを特徴とする請求項１２記載の加熱調理器。
【請求項１４】
アクチュエータには、キャップの操作部と係合する当接部を有し、該当接部は、アーム用透孔からの直線距離が１００ｍｍ以内に配置したことを特徴とする請求項１２または１３記載の加熱調理器。
【請求項１５】
扉開閉機構は、扉側に一端が取着され他端が捩じりコイルバネ及び引張りコイルバネの各自由端側に連結されるアームと、このアームに形成した円弧状の下端部と接触状態に設けられ該アームの移動を案内するローラとを具備し、このローラは外箱内の静止部位に取着されたローラホルダーに回転可能に取着すると共に、該ローラホルダーには上記捩じりコイルバネ及び引張りコイルバネの固定端側を装着固定したことを特徴とする請求項２または３記載の加熱調理器。
【発明の詳細な説明】
【０００１】
【発明の属する技術分野】
本発明は、調理室の前面開口部を開閉する縦型の扉開閉機構を備えた加熱調理器に関する。
【０００２】
【従来の技術】
従来、調理室内に収容した被調理物に対しマグネトロンによるマイクロ波の照射、或いは電熱ヒータにより加熱して調理する加熱調理器において、調理室の前面開口部にはこれを開閉する扉が回動自在に設けられている。
【０００３】
例えば、図１２ないし１５に示した一例につき説明すると、図１２は加熱調理器１の開扉状態における概観斜視図で、この外箱２内は、大きく分けると調理室３とマグネトロン１６や冷却ファン装置１７（図１５参照）などの電装品を装備する機械室４とに区画され、調理室３の前面開口部５にはこれを開閉すべく扉６が上下方向に回動可能に設けられ、所謂後述する縦型の扉開閉機構９を備え、また機械室４の前面には操作パネル７が設けられている。
【０００４】
この扉６の開閉機構９につき図１３及び１４に示す左側面図を参照して説明すると、該扉６は開口部５縁の下部近傍の左右２箇所（１箇所のみ図示）に突設されたヒンジ８に扉６の下端部を回動自在に軸支することによって外箱２前面に取付けられ、縦型の扉６として調理室３の開口部５を開閉可能とする。そして、この縦型の扉開閉機構９は操作パネル７とは反対側の外箱２と調理室３との各側壁空間に配設されたアーム１０，ローラ１１及び引張りコイルバネ１２を具備してなり、従って、引張りコイルバネ１２などの張力が付与された扉開閉機構９は加熱調理器１の正面から見て扉６の左方片側のみに設けられている（図１２，１５参照）。
【０００５】
さらに詳述すると、アーム１０は全体的に円弧状をなしその先端は扉６と回動可能に連結され、後端は引張りコイルバネ１２の自由端側に連結されると共に、このコイルバネ１２の他端は外箱２内の底部に固定され引張状態に張設されることによって、アーム１０を介して扉６を常に閉鎖方向に引張る支持力が付与されている。そしてアーム１０の下端部は、曲率半径が異なる二つの円弧部１３ａ，１３ｂを連続形成してなる円弧状面を備え、この円弧状面に接触しつつ該アーム１０を下方から支えるようにローラ１１が外箱２内の適宜の静止部位に回動自在に設けられている。
【０００６】
上記のように縦型の扉開閉機構９を備えたものでは、図１４に示す扉６の閉鎖状態にあっては、ローラ１１はアーム１０の円弧状面のうち曲率半径が小さくて深い円弧部１３ａと接触する位置にあって、扉６の支持力である引張りコイルバネ１２の引張力により閉扉方向に付勢され、扉６は調理室３の開口部５を閉鎖している。この閉扉状態から扉６を開放する場合、扉６上端部に設けられた手掛部１４に手を掛け下方に回動操作すると、図１０から明らかなように扉６はヒンジ８を中心に回動し、引張コイルバネ１２の引張力（支持力）に抗してアーム１０を外箱２前方に引張移動し、従ってローラ１１はアーム１０の円弧部１３ａから大きな円弧部１３ｂへとその間の段差部を乗り越えて移行し、扉６の開き角度αが４０度を過ぎると引張コイルバネ１２の支持力に比し扉６の自重（荷重）が大きく加担し開くにつれモーメントとして増大し、扉６は加速的に開放動作する。そして全開位置でアーム１０に設けられた図示しないストッパー機能をなす衝止部が外箱２内の静止部位に衝突して止まる。
【０００７】
一方、開放状態にある扉６を閉鎖する場合には、扉６の手掛部１４を介して閉鎖方向に回動操作することにより開放時とは逆の手順で閉鎖するが、大きな円弧部１３ｂから小さくて深い円弧部１３ａに移行した後の閉鎖直前でやはり扉６の回動動作が速まり、扉６内面が開口部５の前縁部に当接して閉鎖状態に至る。  これは上記したように扉６の開放状態にある時が最も大きな荷重が加わっているため、初動操作時には大きな回動操作力を必要とするが、扉６が閉鎖側に近づくと（開き角度αが４０度付近）ローラ１１が浅くて大きい円弧部１３ｂでの圧接状態から段差部を乗り越え深い円弧部１３ａに移行するに伴い扉６の荷重も軽減されることと相俟って、扉６は閉鎖方向への慣性力で急速に閉鎖動作する事情にある。
【０００８】
【発明が解決しようとする課題】
しかるに上記構成における特に急激な開扉動作は、ストッパー機能を超えた回動力となってその衝撃により調理器１全体を前後方向に揺さ振ったり、或いは使用者の手が停止衝撃も加わって手掛部１４から外れ易く、そして外れた場合、その反動で扉６が逆に急激に閉鎖状態に戻るなどして、その時の衝撃により調理室３内の被調理物を収容した食器類を跳ね上げたり中身をこぼしたりし、また手指を扉６で挟むなどの危険性を生ずる。
【０００９】
しかして、これに対処するには引張りコイルバネ１２の引張力を強めることが考えられるが、斯かる場合には確かに扉６の開放操作が重くなるものの急激な開放動作は軽減される。ところが引張りコイルバネ１２の引張力を強くすると、閉扉状態での支持力が必要以上に強められることとなり、特に扉６の開放操作途中で扉６から手を離した場合、一層大きな閉扉方向への急な跳ね上がり及びその閉鎖時の大きな衝撃を招き、或いは開放状態の扉６に僅かな外力が作用しただけで急に閉鎖回動したりして、結果的に閉鎖時にあってもその衝撃に伴う不具合が生ずる。
【００１０】
従って、上記開扉時にはコイルバネ１２の引張力を強めたいところであるが、逆に閉鎖時には必要以上の過大支持力となり急激な閉扉動作を招いて衝撃を大きくしたり、或いは開扉状態から不所望な閉扉動作が行われたりする不具合を生じ、結果として引張りコイルバネ１２の特性は扉６の開，閉動作で互いに異なる条件を包含しているため、これを一本の引張りコイルバネ１２から夫々の最適条件のもとに支持力を設定することは至難のことである。のみならず、一本の引張りコイルバネ１２による場合には、その引張力に対応する自身が負う最大発生荷重と最小発生荷重との比（変化率）が大きくならざるを得ず、それだけ疲労寿命に悪影響を及ぼし、しかも加熱調理に図１５に示す電熱ヒータ１８を採用する構成にあっては、外箱２内の相当に高温化した雰囲気中に晒されて引張りコイルバネ１２の疲労寿命を一層早めることとなり、所期の設定支持力を保てなくなる事態を招来する。
【００１１】
さらに、このような一本の引張りコイルバネ１２による構成では、上記したように常時閉扉方向の引張力がアーム１０を介して扉６への支持力として作用するようにしておかねばならないことはもとより、急激な開扉動作を防ぐには支持力を大きくせねばならない事情下では、図１４に示すように引張りコイルバネ１２の垂直方向に対する傾斜角度ｘを大きくして引張力を大きくしておく必要があるため、引張りコイルバネ１２の外箱２底部の固定端は奥方深く配設せねばならぬことに伴い広い空間を占有することとなり、従って扉開閉機構９が占める範囲は図中二点鎖線で覆った大きな空間Ｓ１を必要とし、このことから扉開閉機構９を各種電装品を装備した機械室４側を利用して設けるには、このための大きな空間が必要となるなどの制約を受け、結果として、操作パネル７とは反対側となる外箱２と調理室３の各側壁間の片側に設けざるを得なかった。
【００１２】
しかるに、斯かる構成によれば閉鎖状態にある扉６には、図１５の平面図に示すように引張りコイルバネ１２に最も近い扉６左端が支持力により引張られ、それより遠い右端（操作パネル７側）は調理室３の開口部５縁から離反し隙間が生じ易い。ところで機械室４とか操作パネル７側には、例えば通常マグネトロン１６の他に制御回路中に配され扉６の開閉に応動する複数のスイッチ１５（以下扉スイッチと称する）が設けられているが、閉扉状態で上記隙間が生じると、扉スイッチ１５が不作動や誤動作を起こしたり、延いては該隙間からマイクロ波や温風などが漏洩する問題に発展することになりかねない。
【００１３】
また、図１２から理解できるように扉６を開放した状態では、アーム１０が前方に大きく出っ張るため、調理室３への出し入れ操作時の障害となったり、閉扉時にアーム１０に手指を挟む危険性も有する。
【００１４】
本発明は上述の事情に鑑みてなされたものであり、従ってその目的は、縦型の扉開閉機構を備えたものにおいて、扉の急激な開放動作を緩和し、以って衝撃を伴わない開閉動作を得て良好な開閉操作感を得ることができる加熱調理器を提供するにある。
【００１５】
【課題を解決するための手段】
上記目的を達成するために本発明の加熱調理器は、外箱内に形成され前面開口部を有し被調理物を加熱調理する調理室と、この調理室の前面開口部を開閉する扉と、この扉下端を回動自在に軸支し閉扉方向の支持力を付与する扉開閉機構とを備え、この扉開閉機構は、自由端側を扉側に連結し他端を外箱内の静止部位に固定した引張りコイルバネと捩じりコイルバネとを有し、少なくとも捩じりコイルバネは扉の開き方向の回動に対し支持力が大きくなるよう張設したことを特徴とする（請求項１の発明）。
【００１６】
斯かる構成によれば、特に閉扉方向に付勢する支持力を引張りコイルバネに加えて設けた捩じりコイルバネにより補足するようにしたので、扉の急激な開放動作を緩衝的に阻止でき、スムーズな開閉動作のもと良好な操作感が得られる。しかも、引張りコイルバネに対する発生荷重の変化率を小さくできるので、疲労寿命を長くすることができ長期に亘り信頼性を維持できる。
【００１７】
そして、請求項１記載のものにおいて、扉開閉機構は、引張りコイルバネと捩じりコイルバネとを並設した単位構成となし、この扉開閉機構を扉の片側または両側に連結した構成としたことを特徴とする（請求項２の発明）。
【００１８】
斯かる構成によれば、引張りコイルバネ及び捩じりコイルバネの異なる形態のバネを利用して支持力を発生するようにしたので、張設場所を干渉しあうことなくコンパクトに配置構成できる点で有利である。
【００１９】
さらに、請求項１記載のものにおいて、外箱内には調理室と区画され該調理室内の被調理物にマイクロ波を照射するマグネトロンやその制御部品などの電装品を装備した機械室を有し、この機械室内に扉開閉機構の引張りコイルバネ及び捩じりコイルバネを配したことを特徴とする（請求項３の発明）。
【００２０】
斯かる構成によれば、機械室内を有効に利用して扉開閉機構を配設することができると共に、この近傍に位置して設けられ扉の開閉動作に連動する扉スイッチに対して、扉開閉機構による支持力を長期に亘り有効に作用させることができ、該扉スイッチを容易に配設でき且つ確実に動作させることができる。
【００２１】
さらにまた、請求項１ないし３のいずれかに記載のものにおいて、調理室内には被調理物を加熱調理する電熱ヒータを設けたことを特徴とする（請求項４の発明）。
【００２２】
斯かる構成によれば、引張りコイルバネに対する発生荷重の変化率を小さく抑えることができるので、当該引張りコイルバネが高温の雰囲気中にあっても疲労寿命に与える影響が少なく、従って調理用の加熱源として周囲の高温化が免れない電熱ヒータを採用することが可能となり、調理メニューが豊富で多目的に利用可能な加熱調理器を堤共できる。
【００２３】
また、請求項３または４記載のものにおいて、機械室内には電装品を冷却するための冷却ファンを備え、この冷却ファンによる冷却風路中に扉開閉機構を配設したことを特徴とする（請求項５の発明）。
【００２４】
斯かる構成によれば、本来電装品の冷却用に設けた冷却ファンを利用して扉開閉機構の引張りコイルバネ及び捩じりコイルバネの高温化を防ぐことができ、各コイルバネの熱疲労からの保護ができ一層耐久性に優れたものとなる。
【００２５】
そして、請求項１ないし５のいずれかに記載のものにおいて、閉扉状態から扉を開く場合における捩じりコイルバネには、少なくとも扉の開き角度が約４０度を超えると支持力を発生するように設定したことを特徴とする（請求項６の発明）。
【００２６】
斯かる構成によれば、扉を開く場合、その開き角度が約４０度までは引張りコイルバネを主体に支持力を発生し捩じりコイルバネはその補助とすることで、扉が閉鎖する直前では引張りコイルバネ主体による適正な支持力に設定でき、そして開き角度が約４０度以降には捩じりコイルバネと引張りコイルバネとで支持力を発生させることで、急激な扉の開放動作を抑えることができ、以って扉の急激な開閉動作を防止でき大きな衝撃を生じることはない。
【００２７】
さらに、請求項６記載のものにおいて、閉扉状態から扉を開く場合、開き角度が４０度を超えると扉は自重により扉開閉機構の支持力に抗して開扉できるようにしたことを特徴とする（請求項７の発明）。
【００２８】
斯かる構成によれば、扉の開き角度が４０度以降において開放途中の扉から手を離しても、扉が反動で跳ね返るような急激な閉鎖動作を防止でき、大きな衝撃に伴う不具合は生じない。
【００２９】
さらにまた、請求項１ないし７のいずれかに記載のものにおいて、扉開閉機構の引張りコイルバネは、閉扉状態の時、略垂直状をなすよう張設されたことを特徴とする（請求項８の発明）。
【００３０】
斯かる構成によれば、捩じりコイルバネの支持力の補助を受けて引張りコイルバネの支持力は小さくできることに伴い、引張りコイルバネの張設状態は大きく引張る必要がなく、従って支持力が最小となる略垂直状態に設けることが可能となり、それだけ奥行き方向の占有面積を小さくできて斯かる構成の扉開閉機構の設置場所に設計製造的な自由度を得、この種調理器の小型の機種構成にも採用できる利点を奏する。
【００３１】
また、請求項１記載のものにおいて、扉開閉機構は、扉側に一端が取着され他端が捩じりコイルバネの自由端側に連結される金属製のアームを具備し、このアームには、捩じりコイルバネの自由端側を遊動可能に連結保持する合成樹脂製のキャップを被着したことを特徴とする（請求項９の発明）。
【００３２】
斯かる構成によれば、捩じりコイルバネは、荷重（モーメント）の増減によりそのコイル部分で拡縮変位を生じたり、引張りコイルバネの如き直線的な引張力と異なりコイル部分を中心とした回転方向への曲げモーメントとしてアームを介して支持力を発生するので、アームと連結する自由端側は連結部位で摺接角度が変化したり上下動し、これはアームと捩じりコイルバネとの回動中心が異なるほど大きな現象となって現れ、該端部が金属製アームと擦れ磨耗する虞があるが、これをアームに被着した合成樹脂製のキャップにて遊動可能に連結保持するので、捩じりコイルバネの自由端部における磨耗や摩擦音の発生を防止しながら、支持力をアーム側に有効に伝達できる。
【００３３】
さらに、請求項９記載のものにおいて、キャップには、捩じりコイルバネの自由端側と遊動可能に摺接するコ字状のフック部を設け、このフック部の捩じりコイルバネとの摺接部位を円弧状に形成したことを特徴とする（請求項１０の発明）。
【００３４】
斯かる構成によれば、捩じりコイルバネとキャップとの摺接部位を一箇所に集中することを防止でき、摺接部位の局部的な磨耗を防ぐのに有効である。
【００３５】
さらにまた、請求項９または１０記載のものにおいて、アームに被着したキャップには、扉の開閉に応動すべく設けた加熱制御用スイッチのアクチュエータを操作する操作部を形成したことを特徴とする（請求項１１の発明）。
【００３６】
斯かる構成によれば、一つのキャップを他の用途に利用できて便利であると共に、スイッチとアームとの間に樹脂製の絶縁層を介在することができて安全構成とすることができる。
【００３７】
さらには、請求項１１記載のものにおいて、扉が開閉する前面開口部縁にはアームの移動を許容するアーム用透孔を有し、この透孔と加熱制御用スイッチのアクチュエータとを結ぶ直線上に位置し、該透孔から挿入された棒材に対面してアクチュエータの操作を阻止する立壁面をキヤップに形成したことを特徴とする（請求項１２の発明）。
【００３８】
斯かる構成によれば、回動運動するアーム移動を擦ることなく許容するには上下左右に少なからず隙間を有するアーム用透孔を形成しなければならないが、扉の開放状態ではこの透孔が露出することとなり、該透孔から誤って細長い棒材が挿入された場合でも、スイッチのアクチュエータ方向に対面する立壁面で操作不能とするキャップ構成としたから、不用意に加熱調理用の出力がなされたりスイッチ機構部を破損したりする虞がなく安全性を確保できる。
【００３９】
そしてまた、請求項１２記載のものにおいて、キャップの立壁面の裏面側を、アクチュエータを操作する操作部としたことを特徴とする（請求項１３の発明）。
【００４０】
斯かる構成によれば、操作部として幅広の面とすることができて、アクチュエータへの操作伝達が確実となり、その伝達部位の関連構成も簡単化できる。
【００４１】
そしてさらに、請求項１２または１３記載のものにおいて、アクチュエータには、キャップの操作部と係合する当接部を有し、該当接部は、アーム用透孔からの直線距離が１００ｍｍ以内に配置したことを特徴とする（請求項１４の発明）。
【００４２】
斯かる構成によれば、アーム用透孔からの棒材に対する安全性も確保できているから、電気用品取締法に対応してアクチュエータを透孔から１００ｍｍ以上離す必要がないのでコンパクトに構成でき、従って他のスイッチ類，電装品等との距離も十分に確保できるなど安全性も含め設計製造を頗る容易とする。
【００４３】
また、請求項２または３記載のものにおいて、扉開閉機構は、扉側に一端が取着され他端が捩じりコイルバネ及び引張りコイルバネの各自由端側に連結されるアームと、このアームに形成した円弧状の下端部と接触状態に設けられ該アームの移動を案内するローラとを具備し、このローラは外箱内の静止部位に取着されたローラホルダーに回転可能に取着すると共に、該ローラホルダーには上記捩じりコイルバネ及び引張りコイルバネの固定端側を装着固定したことを特徴とする（請求項１５の発明）。
【００４４】
斯かる構成によれば、ローラはアームの下端部と接触状態で該アームの移動を案内し、またアームに自由端側を連結した捩じりコイルバネ及び引張りコイルバネは該アームを介して扉への支持力を付与するもので、これら関連の構成部材を一つのローラホルダーにまとめて装着したので、アームに対する組立精度を向上でき、且つ品質の均一化が図れるなど実用に好適な扉開閉機構を提供できる。
【００４５】
【発明の実施の形態】
（第１の実施の形態）
以下、本発明の加熱調理器の第１実施例を示す図１ないし図１１を参照して説明する。
まず図３は、加熱調理器２１の開扉状態における全体斜視図で、外箱２２内には被調理物を収容し加熱調理するための調理室２３を形成すると共に、その前方たる外箱２１の前面板２４には開口部２５を形成し、該開口部２５の前面にはこれを開閉すべく下端部が支持され上下方向に回動可能な所謂縦型の扉２６が、機械室２８内に配設された後述する扉開閉機構２７を介して開閉自在に装着されている。
【００４６】
そして外箱２２内は調理室２３と区画された機械室２８が構成され、内部に加熱源たるマイクロ波を発信するマグネトロン２９，高圧トランス３０，後述する扉スイッチ群３１、及び冷却ファン３２ａを駆動するファンモータ３２ｂなどの電装品を装備しており、この機械室２８の前方には図示しない制御回路基板とか各種調理メニューを選択操作する操作部材を有する操作パネル３３が設けられている。また、調理室２３の天井部には、もう一つの加熱源たる電熱ヒータ３４が被着されている。
【００４７】
しかして上記扉開閉機構２７の構成につき、特に図１，２及び図４に示す要部の拡大図を参照して述べるに、扉２６は上端部に手掛部３５を有し、下端部が開口部縁たる前面板２４の下部から突設された２個のヒンジ３５（図３参照）に回動自在に支持されていて、本実施例における扉開閉機構２７は図３に示す右方の機械室２８側の片側に設けられている。しかるに扉２６の内面側には全体的に円弧状をなす金属製の板状のアーム３７の一端が回動可能に連結され、他端は前面板２４に形成した縦長状のアーム用透孔２４ａを遊挿し、その後端部に引張りコイルバネ３８及び捩じりコイルバネ３９の自由端側を連結している。そして、これら各コイルバネ３８，３９の固定端側たる他端は、外箱２２内の静止部位たる底板４０に固定されたローラホルダー４１に連結固定されるが、そのうち捩じりコイルバネ３８は、その構成上コイル部分を立設された案内棒４２に遊挿され、直状の端末部が切り起し部４３に抱持されるようにして固定される。
【００４８】
しかるに、各コイルバネ３８，３９の自由端側とアーム３７との連結構造は、まず引張りコイルバネ３８はアーム３７の後端部に形成した鉤部４４に引掛けて連結され、且つ最も弛緩する図２の閉扉状態にあっても引張力が若干作用するよう張設され、扉２６を閉鎖方向に引張る支持力の一部となしている。
一方、捩じりコイルバネ３９は、その自由端側は金属製のアーム３７には直付けしないで、該アーム３７に嵌合被着した合成樹脂製のキャップ４５に遊動自在に連結保持されている。即ち、キャップ４５は特に図５，６に拡大して示すように概略コ字状をなす取付基部４６と、これの側方に直角方向に立設した立壁面４７及び下端部に突設したコ字状のフック部４８を具備してなり、且つ取付基部４６には内部に突部４６ａを突設し、外側下端部には爪部４６ｂを形成しており、またフック部４８の中央部位を円弧状をなす曲面部４８ａとした構成にある。
【００４９】
このように構成されたキャップ４５が被着されるアーム３７は、下端部の先端側に曲率半径の小さい円弧部３７ａ及び後端側に大きい円弧部３７ｂを連続して形成して全体に円弧状をなすと共に、垂直な後端面は幅広の形状をなし、この幅広部分に角穴４９及びその上端部に溝部５０を形成し、且つこの幅広の前端部は角度を付した衝止部５１となして、この衝止部５１は図１の開扉位置で前面板２４の内面側であるアーム用透孔２４ａ上部に当接してそれ以上の扉２６の回動を阻止する所謂ストッパーとして機能するものである。
【００５０】
また、このような構成のアーム３７にキャップ４５を被着するには、コ字状の取付基部４６をアーム３７の幅広部分の上端から弾性変形させつつ嵌め込み、突部４６ａが溝部５０に係合し、また爪部４６ｂが角穴４９縁部に弾性的に係合することによって、上下左右に移動不能に嵌合被着される。
【００５１】
そして、この被着されたキャップ４５のコ字状フック部４８に、捩じりコイルバネ３９の自由端部側が遊動可能に連結されるもので、該ねじりコイルバネ３９は図２の閉扉位置での最も弛緩した状態でも若干緊張した状態で張設されていて、これは固定端側との間で自由動しない程度に組込まれる。従って、フック部４８に連結保持された捩じりコイルバネ３９の自由端部は、曲面部４８ａに常に摺接状態にある。
【００５２】
上記のように扉開閉機構２７の主要部である引張りコイルバネ３８及び捩じりコイルバネ３９を張設したアーム３７は、その円弧部３７ａ，３７ｂを介して上記ローラホルダー４１に回転自在に取着されたローラ５２に接触し圧接状態で支持されることにより、扉２６の開閉動作に連動するアーム３７の回動動作（軌道）を案内する構成としている。
【００５３】
このようにローラホルダー４１には、引張りコイルバネ３８，捩じりコイルバネ３９の各固定端側及びローラ５２を装着すると共に、さらに延設された上端部に前述の扉スイッチ群３１を取着した合成樹脂製のスイッチ基板５３をねじ止め等により固着していて、上記扉スイッチ群３１は、具体的には３個の扉スイッチ３１ａ，３１ｂ，３１ｃを設けてなる。
【００５４】
そしてこれら扉スイッチ３１ａ，３１ｂ，３１ｃは扉２６の開閉動作に応じてオン・オフ動作するもので、その構成は、まず下位の扉スイッチ３１ａについては、これの下方に位置して設けられたアクチュエータとしてのスライド部材５４のスライド移動によりオン・オフ動作するもので、このスライド部材５４は、スイッチ基板５３の下端部に型抜き成形が可能な範囲で周囲を囲むように形成された壁面からなるスライド室５５内に収納され、これらスライド室５５とスライド部材５４間にわたって引張りコイルバネによる復帰バネ５６を懸架して、常態ではスライド部材５４は復帰バネ５６にて引張られて、扉スイッチ３１ａの操作釦３１ｄの押圧を解除した図１，４の如くオフ状態にある。
このスライド部材５４の後端部には、垂下形成された当接部５７が設けられ、この当接部５７には前述のアーム３７に被着したキャップ４５の後端部或いは立壁面４７の裏面部からなる操作部が当接係合する関係配置にある。
【００５５】
一方、他の扉スイッチ３１ｂ，３１ｃは、アクチュエータとして機能するスイッチレバー５８の回動動作によりオン・オフ作動する構成にあって、該スイッチレバー５８は、合成樹脂製でスイッチ基板５３に回動自在に取着され、上端部の突起部５９が前面板２４を貫通して前方に臨み、且つ各スイッチ３１ｂ，３１ｃの操作釦３１ｅ，３１ｆ自身の復元力により常態では図１の開扉状態の時と同じように操作釦３１ｅ，３１ｆを押圧作動しない位置にあって、突起部５９は前面板２４前方に臨んだ位置にある。
しかるにこの突起部５９に対応する扉２６内面には、突部６０が形成され、例えば図２の閉扉状態では突起部５９が突部６０に押し込まれてスイッチレバー５８を回動せしめ、扉スイッチ３１ｂ，３１ｃをオン・オフ作動する。
従って、扉２６の開閉動作に連動する扉スイッチ群３１は、閉扉状態の場合は扉スイッチ３１ａ，３１ｂがオンし扉スイッチ３１ｃはオフとなり、逆に開扉状態ではオン・オフ動作が反転する関係にある。
【００５６】
尚、図３に示すように外箱２２の右側面には、前述の扉開閉機構２７の近傍に位置して排気孔２２ａが穿設されており、他に図示しないが底板４０にも排気孔が形成されていて、冷却ファン３２ａの駆動により他の電装品も含めての冷却風路が生成される。
また、図７は図４のＡ―Ａ線に沿って切断して示す断面図で、開扉状態における特にローラ５２を具備したローラホルダー４１と、キャップ４５を具備したアーム３７との関連配置を上方から見た構成を示している。さらに図８及び図９は作用を説明するための右側面図及び平面図である。
【００５７】
上記のように構成された加熱調理器２１において加熱調理するには、扉２６を開放し被調理物を調理室２３内に収容して再び扉２６を閉じる。そして操作パネル３３にて調理メニューの選択やこれに応じて例えば加熱源としてマグネトロン２９或いは電熱ヒータ３４利用かの加熱方法を選択操作するなどしてスタート操作することにより、自動的に或いは人為的に加熱調理が行われる。
【００５８】
しかして、図１の扉２６の開放状態から閉鎖動作する場合の作用につき説明するに、手掛部３５を利用して扉２６を持ち上げるように回動操作することにより、扉開閉機構２７を介して回動し扉２６内面が開口部縁たる前面板２４に密着して開口部２５を閉鎖する。即ち扉２６は、ヒンジ３６を支点に円運動するが、これに連結されたアーム３７は、アーム用透孔２２ａを経てその大，小の円弧部３７ｂ，３７ａがローラ５２に案内されて若干の上下動を伴う回動軌道を描いて移動する。この場合、引張りコイルバネ３８及び捩じりコイルバネ３９による閉扉方向の支持力も次第に減じられるが、扉２６も開き角度αが約４０度を切る閉鎖段階に至るとその荷重（モーメント）も大きく減少するので、扉２６は各コイルバネ３８，３９の小さな支持力で確実に閉鎖状態に至る。
【００５９】
そして閉鎖状態に至ると、アーム３７に被着されたキャップ４５の後端部及び立壁面４７の裏面側からなる操作部が、アクチュエータたるスライド部材５４の当接部５７に当接係合し、復帰バネ５６に抗して該スライド部材５４を後方にスライド移動させる。この移動によって操作釦３１ｄが押圧操作され扉スイッチ３１ａはオン状態となる。これと略同時に、他の扉スイッチ３１ｃ，３１ｂが順次動作するが、そのうち扉スイッチ３１ｃはオフ状態となる。即ち扉２６の閉鎖によりその突部６０がアクチュエータとして機能するスイッチレバー５８の突起部６０を押し込むことにより該レバー５８が回動し、まず扉スイッチ３１ｃの操作釦３１ｆを押圧操作して該スイッチ３１ｃをオフ状態とし、その電源間の短絡回路を断ち、その直後、扉スイッチ３１ｂの操作釦３１ｅが押圧操作されてオン状態を得る。これによって扉スイッチ３１ｂ及び３１ａの直列回路を介して加熱源たるマグネトロン２９或いは電熱ヒータ３４などの負荷回路に通電され、以って加熱調理可能状態となる。
【００６０】
次いで、扉２６を開放する場合につき説明するに、手掛部３５に手を掛けて手前に回動操作すると、開放するに伴い扉２６自身の荷重も大きくなり、特に開き角度αが約４０度を過ぎる時点から荷重がモーメントとして大きく作用し該扉２６を急速に回動しようとするが、扉開閉機構２７の引張りコイルバネ３８及び捩じりコイルバネ３９による支持力も次第に大きくなり、特に捩じりコイルバネ３９の捩じり力（モーメント）が反回動方向への大きな支持力として効果的に作用することで、扉２６の急激な回動を緩和し、略等角速度で回動してアーム３７の衝止部５１が前面板２４の内面側に衝止するストッパー機能を得ることで全開状態に至る。
【００６１】
この開扉状態における扉スイッチ群３１は、上記閉扉状態の場合とは逆のオン・オフ状態となる。即ち、扉２６に連動してアーム３７が前方に移動することにより、当接部５７のキャップ４５との係合状態は解かれるのでスライド部材５４は復帰バネ５６により瞬時的に復帰移動し、扉スイッチ３１ａをオフ状態として逸早く負荷回路への通電を断ち加熱源の作動を停止せしめる。
一方、スイッチレバー５８も復帰回動することによって、扉スイッチ３１ｃはオン状態に、扉スイッチ３１ｂはオフ状態に順次作動するもので、特に短絡回路を構成する扉スイッチ３１ｃは他のスイッチ３１ａ，３１ｂとは逆のオン・オフ動作を行い、これは開扉時に仮に負荷回路側の扉スイッチ３１ａが故障等によりオン状態のままとなっても、該扉スイッチ３１ｃのオン動作による短絡回路を形成して加熱源が作動しないようにした安全回路として機能するものである。
【００６２】
このように、閉扉方向に付勢する支持力を、特に開扉時に引張りコイルバネ３８のみでは不足するのを捩じりコイルバネ３９により補足できるようにしたので、特に開き角度αが約４０度を過ぎた時点から生じる扉２６の急激な開放動作を緩衝的に阻止でき、衝撃及びそれに伴う不具合は何ら生ぜずスムーズな開閉動作のもと良好な操作感が得られる。従って、引張りコイルバネ３８のみで大きな支持力を得る必要もないので発生荷重の変化率を小さくでき、疲労寿命を長くすることができて長期に亘り信頼性を維持できる。特に加熱源として電熱ヒータ３４を利用した加熱調理では、調理室２３以外の外箱２２内でも高温状態となるため変化率の大きいバネでは、さらに疲労寿命を早めることになるが、本実施例では変化率が小さくそのような心配はなく、所謂ヒータ調理の用途拡大ができる。
【００６３】
そして、本実施例における扉開閉機構２７は、その要部である引張りコイルバネ３８と捩じりコイルバネ３９との異なる形態のバネを並設してなる単位構成としたので、張設場所を干渉しあうことなくコンパクトに配置構成できる点でも有利となる。しかも、引張りコイルバネ３８は引張力（支持力）を極小さくできるので、閉扉状態においては略垂直状態で張設可能となり図８中に二点鎖線で示した区域の占有範囲Ｓ２で済み、従来に比し一層コンパクト化が図れて他の小型調理器などにも採用可能となるばかりか、この扉開閉機構２７をマグネトロン２９やその制御部品などの電装品を装備した機械室２８内に容易に設置でき、これら機構部を機械室２８内に集中配置できて設計製造性を高め得ると共に、これに伴い扉２６はその支持力の影響受けて機械室２８側の前面板２４との密接度合が常に高まり（図９参照）、この機械室２８内に配設される扉スイッチ群３１を動作させるに位置的に好都合となるのみならず、長期に亘り確実にオン・オフ動作することを保障できる。このことからも引張りコイルバネ３８と捩じりコイルバネ３９と並設してなる単位構成の扉開閉機構２７を、扉２６に対して片側に配置した構成であっても何の不具合もなく機能するものである。
【００６４】
しかも、扉開閉機構２７を機械室２８側に設けることは、開扉時に前方に突出するアーム３７が図３から理解できるように前方に突設された操作パネル３３の近傍側方に位置するため、調理操作時にこれが邪魔になったり閉扉時に手指を挟む虞がなく安全である。
また、機械室２８内に設けた電装品を冷却するための冷却ファン３２ａを利用して、その冷却風路中に扉開閉機構２７を配設することで、引張りコイルバネ３８及び捩じりコイルバネ３９を熱疲労から保護できて一層耐久性に優れたものとなる。
【００６５】
そして、捩じりコイルバネ３９の自由端側を連結する金属製のアーム３７には、該捩じりコイルバネ３９の自由端側を遊動可能に連結保持する合成樹脂製のキャップ４５を設けたので、捩じりコイルバネ３９が受ける荷重の増減によりそのコイル部分での拡縮変位することや、引張りコイルバネ３８とは異なりコイル部分を中心とした回転方向へのモーメントとしてアーム３７を介して支持力を発生するので、アーム３７と連結する自由端側は連結部位で摺接角度が変化したり上下動し、さらにアーム３７自体が異なる円弧部３７ａ，３７ｂを有してローラ５２により案内され特異な回動軌道を描くことも加わり、該端部が金属製アーム３７と擦れ磨耗する虞があるが、これを遊動可能に保持する合成樹脂製のキャップ４５にて捩じりコイルバネ３９の自由端部における磨耗や摩擦音の発生を防止しながら、支持力をアーム３７側に有効に伝達できる。
【００６６】
その上、捩じりコイルバネ３９の自由端部を保持するコ字状のフック部４８には、該端部と摺接する部位を円弧状に形成したので、その摺接部位を一箇所に集中することを防止でき、摺接部位の早期磨耗を防ぐのに有効である。
しかも、上記キャップ４５を利用して、扉２６の開閉に応動する加熱制御用スイッチたる扉スイッチ群３１ａのアクチュエータたるスライド部材５４を操作する操作部を形成したので、該スイッチ３１ａと金属板製のアーム３７との間に樹脂製の絶縁層を介在することができて安全構成とすることができる。
【００６７】
また、前面板２４の開口部縁に形成されたアーム３７の移動を許容するアーム用透孔２４ａから、電気用品取締法に定められた直径３ｍｍ，長さ１００ｍｍの棒材６１（図４に二点鎖線で示す）が挿入されても、これに対面するキャップ４５の立壁面４７で阻止し、その先のスライド部材５４の当接部５７への操作不可としたので、扉スイッチ３１ａのオン動作による思わぬ加熱調理用の出力の発生を未然に防止でき安全性を確保できる。これに伴い、上記電気用品取締法に謂う長さ１００ｍｍの棒材６１に対して、アーム用透孔２４ａからアクチュエータたるスライド部材５４の当接部５７までの寸法が直線で１００ｍｍ以内のコンパクト設計が可能となり、それだけ機械室２８内を他の電装品との必要距離を保ちながら当該扉スイッチ３１ａ機構や扉開閉機構２７を効率良く配設できる。
しかも、このキャップ４５の後端部、特には立壁面４７の裏面側を、アクチュエータたるスライド部材５４を操作する操作部としたから、該操作部を幅広の面として当接部５７への操作伝達が確実となり、その伝達部位の関連構成を簡単化できる。
【００６８】
また、扉２６と連動しローラ５２にて案内され回動するアーム３７の軌道は、扉スイッチ３１ａをオン・オフ動作すると共に、引張りコイルバネ３８及び捩じりコイルバネ３９による所定の支持力を直接受け或いは伝達する上で重要とするところであり、これに対しローラ５２及び各コイルバネ３８，３９は外箱２２内の静止部位たる一つのローラホルダー４１にまとめて装着固定されるため、これら関連配置を正確に維持できアーム３７に対する組立精度を向上でき、且つ品質の均一化が図れるなど実用に好適な扉開閉機構２７を提供できる。特に本実施例では、このローラホルダー４１を上部に延設して扉スイッチ群３１を取着するスイッチ基板５３をも取付固定するようにしているので、斯かる扉スイッチ群３１に対する位置関係も精度良く均一化でき、正確な動作が期待できて品質向上が望める。
【００６９】
その他、特に図４と共に図７の断面図に示すように、扉２６の開放時にはアーム３７の後端部の幅広部分がローラホルダー４１と重複する位置との間で移動するが、この移動はローラ５２で案内されるとは言え捩じりコイルバネ３９などの偏奇力を受けて少なからず横方向に揺動し、所謂アーム３７が傾いた状態で移動してローラホルダー４１の側面と接触して不快な金属音を発生する不具合が考えられるが、これは幅広部分に被着された合成樹脂製のキャップ４５にて静音化できる利点も併せ有する。
【００７０】
上記の構成に対し、図１０及び図１１は本発明の第２及び第３実施例を示し、特には扉開閉機構２７の配置構成が異なるもので、夫々第１実施例と同一部分には同一符号を付して説明を省略し、異なる部分についてのみ述べる。
【００７１】
（第２の実施の形態）
図１０は、第１実施例の図３相当図で、第１実施例では扉開閉機構２７を機械室２８側の片側に集中装備した構成であるに対し、本実施例ではそのうちの捩じりコイルバネ３９のみを機械室２８と反対側に離間配置したもので、即ち図示左方の外箱２２と調理室２３との各側壁間に装着してなり、その固定端側を外箱２２内の底板４０の静止部位に固定し、自由端側を扉２６側に連結保持させた構成にある。従って、機械室２８側には捩じりコイルバネ３９を除く引張りコイルバネ３８，アーム３７及びローラ５２などを配設している。
【００７２】
斯かる構成によれば、扉２６の開放方向への急激な回動を緩和しその衝撃を解消できることはもとより、その他の引張りコイルバネ３８に関する支持力や、疲労寿命に対する条件など第１実施例と殆ど同じで、略同様の作用効果が期待できる。ただ、捩じりコイルバネ３８のみが離間配置した点で異なるが、該捩じりコイルバネ３８は大きな取付面積を占有することもないので、狭い空間でも設置可能で且つ機能を十分に発揮できるなど対処できる。
【００７３】
（第３の実施の形態）
次いで図１１に示す第３実施例における扉開閉機構２７は、機械室２８側には上記第２実施例で述べたと同じく捩じりコイルバネ３８のみを除いた構成からなり、一方、図示左方側に配置した捩じりコイルバネ３９に対しても、アーム３７及びローラ５２を設けてなるものである。
【００７４】
斯かる構成によれば、両側にアーム３７を配して扉２６に連結された構成となり、扉２６の回動軌道は第１実施例以上に安定動作させることが期待でき、その余の作用効果は上記各実施例で述べたと同様である。
【００７５】
尚、本発明は上記し且つ図面に示した各実施例に限定されるものではなく、例えば、開扉時における扉２６の急激な回動を阻止することを対象とするならば、第１実施例で述べた引張りコイルバネ３８と捩じりコイルバネ３９とを並設してなる単位構成からなる扉開閉機構２７を、両側に配置する構成とすれば良いなど、本発明の要旨を逸脱しない範囲内にて適宜変更して実施できるものである。
【００７６】
【発明の効果】
本発明は以上説明した通り、縦型の扉開閉機構において殊に捩じりコイルバネを有効に採用して扉に付与する支持力を適正にし得て、しかもコンパクト化が図れることなどの特徴を有し、特に扉の開放時における急激な回動を阻止できて、従来のような衝撃に伴う危惧は解消できるから、加熱調理器の使用時に伴う扉の開閉操作はスムーズに操作感も良好に行える。そして扉開閉機構のコンパクト化により、各種の電装品を収容配備する機械室側にも容易に配置でき、しかもこれに伴い機械室側に設けられる扉スイッチとの応答性も確実で良好な品質を維持できるなど、実用的な著効を奏する加熱調理器を提供できる。
【図面の簡単な説明】
【図１】本発明の第１実施例の要部を外箱を外して示す開扉状態の側面図
【図２】閉扉状態の図１相当図
【図３】加熱調理器の開扉状態における全体斜視図
【図４】図１の要部拡大図
【図５】アームとキャップの分解斜視図
【図６】アームとキヤップの組立図
【図７】図４中のＡ―Ａ線に沿って切断して示す断面図
【図８】右側面図
【図９】天板部を破断して示す平面図
【図１０】本発明の第２実施例を示す図３相当図
【図１１】本発明の第３実施例を示す図３相当図
【図１２】従来構成の開扉状態における概観斜視図
【図１３】開扉時における概観左側面図
【図１４】閉扉時における図１３相当図
【図１５】閉扉時における天板部を破断して示す概観平面図
【符号の説明】
２１は加熱調理器、２２は外箱、２４は前面板、２５は開口部、２６は扉、２７は扉開閉機構、２８は機械室、３１ａ，３１ｂ，３１ｃは扉スイッチ、３６はヒンジ、３７はアーム、３８は引張りコイルバネ、３９は捩じりコイルバネ、４１はローラホルダー、４５はキャップ、５２はローラ、５４はスライド部材（アクチュエータ）、及び５８はスイッチレバー（アクチュエータ）を示す。
【図１】
0003646015.tif 000002
【図２】
0003646015.tif 000003
【図３】
0003646015.tif 000004
【図４】
0003646015.tif 000005
【図５】
0003646015.tif 000006
【図６】
0003646015.tif 000007
【図７】
0003646015.tif 000008
【図８】
0003646015.tif 000009
【図９】
0003646015.tif 000010
【図１０】
0003646015.tif 000011
【図１１】
0003646015.tif 000012
【図１２】
0003646015.tif 000013
【図１３】
0003646015.tif 000014
【図１４】
0003646015.tif 000015
【図１５】
0003646015.tif 000016